【手続補正書】
【提出日】令和2年12月9日(2020.12.9)
【手続補正１】
【補正対象書類名】特許請求の範囲
【補正対象項目名】全文
【補正方法】変更
【補正の内容】
【特許請求の範囲】
【請求項１】
Diameterメッセージをルーティングするための方法であって、前記方法は、
少なくとも１つのプロセッサを含むDiameterノードが、DiameterメッセージについてのDiameterルーティングメッセージ優先度（ＤＲＭＰ）優先度値を決定するステップと、
前記Diameterノードが、前記Diameterメッセージを搬送する１つ以上のインターネットプロトコル（ＩＰ）パケットの各々に、前記ＤＲＭＰ優先度値に基づいた前記DiameterメッセージについてのＩＰサービス品質（ＱｏＳ）値をマークするステップと、
前記Diameterノードが、ＩＰ  ＱｏＳ値を使用してサービス品質を提供する、データ通信ネットワーク上のＩＰルータを経由して、前記Diameterメッセージを搬送する前記１つ以上のＩＰパケットを宛先Diameterノードに送信するステップとを含む、方法。
【請求項２】
前記データ通信ネットワーク上の前記ＩＰルータは、差別化サービスを使用してサービス品質を提供し、
前記方法は、前記ＩＰ  ＱｏＳ値を、前記ＤＲＭＰ優先度値と、差別化サービスコードポイント（ＤＳＣＰ）コードポイントへのＤＲＭＰ優先度値のマッピングとに基づいた、前記DiameterメッセージについてのＤＳＣＰ値として決定するステップを含む、請求項１に記載の方法。
【請求項３】
前記Diameterメッセージを搬送する前記１つ以上のＩＰパケットの各々にマークするステップは、各ＩＰパケットのヘッダにおける差別化サービスフィールドに前記ＤＳＣＰ値を挿入するステップを含む、請求項２に記載の方法。
【請求項４】
前記データ通信ネットワーク上の前記ＩＰルータは、統合サービスを使用してサービス品質を提供し、
前記方法は、前記ＩＰ  ＱｏＳ値を、前記ＤＲＭＰ優先度値に基づいた統合サービスフロー仕様として決定するステップを含む、請求項１〜３のいずれか１項に記載の方法。
【請求項５】
前記Diameterノードは、Diameterルーティングエージェント（ＤＲＡ）を含み、
前記Diameterメッセージについての前記ＤＲＭＰ優先度値を決定するステップは、前記Diameterメッセージを受信するステップと、ＤＲＭＰ優先度値のために準備された前記Diameterメッセージの属性値ペアから前記ＤＲＭＰ優先度値を抽出するステップとを含む、請求項１〜４のいずれか１項に記載の方法。
【請求項６】
前記Diameterノードは、前記Diameterメッセージを発するDiameterクライアントまたはDiameterサーバを含み、
前記Diameterメッセージについての前記ＤＲＭＰ優先度値を決定するステップは、前記Diameterメッセージの１つ以上の他の属性値ペアに基づいて前記ＤＲＭＰ優先度値を決定するステップを含む、請求項１〜４のいずれか１項に記載の方法。
【請求項７】
前記Diameterノードは、ロング・ターム・エボリューション（ＬＴＥ）および／またはＩＰマルチメディアシステム（ＩＭＳ）ネットワークを含む電気通信ネットワークのためのシグナリングトラフィックを搬送するために構成されている、請求項１〜６のいずれか１項に記載の方法。
【請求項８】
前記Diameterメッセージに関連付けられた前記電気通信ネットワークのための加入者識別子を決定するステップと、
前記ＬＴＥおよび／またはＩＭＳネットワークのオペレータによって供給された、前記加入者識別子についてのサービスプランのためのマッピングを使用して、前記ＤＲＭＰ優先度値を前記ＩＰ  ＱｏＳ値にマッピングすることによって、前記Diameterメッセージについての前記ＩＰ  ＱｏＳ値を決定するステップとを含む、請求項７に記載の方法。
【請求項９】
Diameterメッセージをルーティングするためのシステムであって、前記システムは、
少なくとも１つのプロセッサを含むDiameterノードと、
前記Diameterノード上に実現されたDiameter−ＩＰ優先度マッパーとを含み、前記Diameter−ＩＰ優先度マッパーは、
DiameterメッセージについてのDiameterルーティングメッセージ優先度（ＤＲＭＰ）優先度値を決定し、
前記Diameterメッセージを搬送する１つ以上のインターネットプロトコル（ＩＰ）パケットの各々に、前記ＤＲＭＰ優先度値に基づいた前記DiameterメッセージについてのＩＰサービス品質（ＱｏＳ）値をマークし、
ＩＰ  ＱｏＳ値を使用してサービス品質を提供する、データ通信ネットワーク上のＩＰルータを経由して、前記Diameterメッセージを搬送する前記１つ以上のＩＰパケットを宛先Diameterノードに送信するために構成されている、システム。
【請求項１０】
前記Diameter−ＩＰ優先度マッパーは、前記ＩＰ  ＱｏＳ値を、前記ＤＲＭＰ優先度値と、差別化サービスコードポイント（ＤＳＣＰ）コードポイントへのＤＲＭＰ優先度値のマッピングとに基づいた、前記DiameterメッセージについてのＤＳＣＰ値として決定するために構成されている、請求項９に記載のシステム。
【請求項１１】
前記Diameterメッセージを搬送する前記１つ以上のＩＰパケットの各々にマークすることは、各ＩＰパケットのヘッダにおける差別化サービスフィールドに前記ＤＳＣＰ値を挿入することを含む、請求項１０に記載のシステム。
【請求項１２】
前記Diameter−ＩＰ優先度マッパーは、前記ＩＰ  ＱｏＳ値を、前記ＤＲＭＰ優先度値に基づいた統合サービスフロー仕様として決定するために構成されている、請求項９〜１１のいずれか１項に記載のシステム。
【請求項１３】
前記Diameterノードは、Diameterルーティングエージェント（ＤＲＡ）を含み、
前記Diameterメッセージについての前記ＤＲＭＰ優先度値を決定することは、前記Diameterメッセージを受信することと、ＤＲＭＰ優先度値のために準備された前記Diameterメッセージの属性値ペアから前記ＤＲＭＰ優先度値を抽出することとを含む、請求項９〜１２のいずれか１項に記載のシステム。
【請求項１４】
前記Diameterノードは、前記Diameterメッセージを発するDiameterクライアントまたはDiameterサーバを含み、
前記Diameterメッセージについての前記ＤＲＭＰ優先度値を決定することは、前記Diameterメッセージの１つ以上の他の属性値ペアに基づいて前記ＤＲＭＰ優先度値を決定することを含む、請求項９〜１２のいずれか１項に記載のシステム。
【請求項１５】
前記Diameterノードは、ロング・ターム・エボリューション（ＬＴＥ）および／またはＩＰマルチメディアシステム（ＩＭＳ）ネットワークを含む電気通信ネットワークのためのシグナリングトラフィックを搬送するために構成されている、請求項９〜１４のいずれか１項に記載のシステム。
【請求項１６】
前記Diameter−ＩＰ優先度マッパーは、前記Diameterメッセージに関連付けられた前記電気通信ネットワークのための加入者識別子を決定し、かつ、前記ＬＴＥおよび／またはＩＭＳネットワークのオペレータによって供給された、前記加入者識別子についてのサービスプランのためのマッピングを使用して、前記ＤＲＭＰ優先度値を前記ＩＰ  ＱｏＳ値にマッピングすることによって、前記Diameterメッセージについての前記ＩＰ  ＱｏＳ値を決定するために構成されている、請求項１５に記載のシステム。
【請求項１７】
Diameterノードの少なくとも１つのプロセッサによって実行されると前記Diameterノードに請求項１〜８のいずれか１項に記載の方法を行なわせる実行可能命令を格納する、コンピュータプログラム。